(57)【要約】【課題】ＬＥＤを光源とする光源部から放射される光の光色を補正して、光色のばらつきを低減できる照明器具を提供することを目的とする。【解決手段】本発明は、ケース本体２と、このケース本体２内に収容されたＬＥＤ８を光源とする光源部３と、この光源部３と対向するように配設された有彩色の反射面４とを備え、光色を補正するため、前記光源部３と反射面４との相対的距離、相対的角度を光源部３、反射面４を操作することにより変更可能とする照明器具１である。【選択図】図６
2011171257.tif 000002
【特許請求の範囲】
【請求項１】
ケース本体と、
このケース本体内に収容されたＬＥＤを光源とする光源部と、
この光源部と対向するように配設された有彩色の反射面とを備え、
前記光源部と反射面との相対的距離が変更可能であることを特徴とする照明器具。
【請求項２】
ケース本体と、
このケース本体内に収容されたＬＥＤを光源とする光源部と、
この光源部と対向するように配設された有彩色の反射面とを備え、
前記光源部と反射面との相対的角度が変更可能であることを特徴とする照明器具。
【請求項３】
前記相対的距離又は相対的角度の変更は、光源部を操作することにより行われることを特徴とする請求項１又は請求項２に記載の照明器具。
【請求項４】
前記相対的距離又は相対的角度の変更は、反射面を操作することにより行われることを特徴とする請求項１又は請求項２に記載の照明器具。
【発明の詳細な説明】
【技術分野】
【０００１】
本発明は、光源としてＬＥＤ（発光ダイオード）を用いる照明器具に関する。
【背景技術】
【０００２】
近時、室内又は室外の一般照明用の光源としてＬＥＤが用いられるようになってきている。しかし、ＬＥＤには個体差があり、ＬＥＤチップの波長のばらつき、ＬＥＤチップを封止する蛍光体層に含有される蛍光体の量のばらつき等に起因して個々の発光色のばらつきが大きい。このようなＬＥＤを基板上に複数個配置して照明用の光源として用いる場合、その光色のばらつきから、光源全体としても光色のばらつきが生じてしまうという問題が発生する。
【０００３】
従来、複数のＬＥＤを備えた照明装置において、光色のばらつきを緩和するため、ＬＥＤが発する光を直接照射せず、反射板にて反射させて間接照射する構成が提案されている（例えば、特許文献１参照）。
【先行技術文献】
【特許文献】
【０００４】
【特許文献１】特開２００８−２８７９９４号公報
【発明の概要】
【発明が解決しようとする課題】
【０００５】
しかしながら、特許文献１に示されたものは、単体としての照明装置において個々のＬＥＤの光色のばらつきを緩和するもので、照明装置全体としての光色のばらつきを積極的に補正するものではない。
【０００６】
例えば、図９に示すように、同一照明空間内に同種の照明器具が複数台設置される場合がある。図９は、壁面に照明器具としてブラケットＢを複数台設置した例であり、このブラケットＢには、光源としてＬＥＤが用いられており、このＬＥＤからの出射光で主として壁面の上方を照らして間接照明によって所望の照明効果を得ようとするものである。
【０００７】
このような場合、特許文献１に示されたような照明装置を複数台設置すると、各照明装置の光色の違いが視覚的に分かる程度で発生することがある。特に、発光色として電球色等を用いる照明用途ではこの問題は大きい。
【０００８】
本発明は、上記のような課題に鑑みなされたもので、ＬＥＤを光源とする光源部から放射される光の光色を補正して、光色のばらつきを低減できる照明器具を提供することを目的とする。
【課題を解決するための手段】
【０００９】
請求項１に記載の照明器具は、ケース本体と、このケース本体内に収容されたＬＥＤを光源とする光源部と、この光源部と対向するように配設された有彩色の反射面とを備え、  前記光源部と反射面との相対的距離が変更可能であることを特徴とする。
本発明及び以下の発明において、特に指定しない限り用語の技術的意味及び解釈は次による。
【００１０】
ＬＥＤは、表面実装型のＬＥＤパッケージやＬＥＤチップを直接基板に実装するものが適用できる。また、砲弾型のＬＥＤを用いてもよく、実装方式や形式は、格別限定されるものではない。さらに、ＬＥＤの個数には特段制限はない。
【００１１】
光源部には、例えば、既存の直管形蛍光ランプと同様な寸法及び外形を有するものが適用できるが、これに限定されるものではない。基板にＬＥＤを実装した各種形態のものが適用できる。
反射面には、例えば、赤色系や黄色系の有色彩が適用できる。しかし、光色を補正し得れば、勿論、他の色彩の適用が可能である。
【００１２】
光源部と反射面との相対的距離の変更は、光源部及び反射面のいずれを操作して移動させるようにしてもよい。また、双方を操作して移動させるようにすることを妨げるものではない。
【００１３】
照明器具は、ブラケットや間接照明の照明器具に適用するのが好適であるが、これに限定されず、屋内又は屋外で使用されるＬＥＤを光源とする各種照明器具に適用することが可能である。
【００１４】
請求項２に記載の照明器具は、ケース本体と、このケース本体内に収容されたＬＥＤを光源とする光源部と、この光源部と対向するように配設された有彩色の反射面とを備え、前記光源部と反射面との相対的角度が変更可能であることを特徴とする。
【００１５】
光源部と反射面との相対的角度の変更は、光源部及び反射面のいずれを操作して変更させるようにしてもよい。また、双方を操作して変更させるようにすることを妨げるものではない。
【００１６】
請求項３に記載の照明器具は、請求項１又は請求項２に記載の照明器具において、前記相対的距離又は相対的角度の変更は、光源部を操作することにより行われることを特徴とする。
【００１７】
請求項４に記載の照明器具は、請求項１又は請求項２に記載の照明器具において、前記相対的距離又は相対的角度の変更は、反射面を操作することにより行われることを特徴とする。
【発明の効果】
【００１８】
本発明によれば、ＬＥＤを光源とする光源部から放射される光の光色を補正して、光色のばらつきを低減できる照明器具を提供することができる。
【図面の簡単な説明】
【００１９】
【図１】本発明の第１の実施形態に係る照明器具においてカバー部材を取外して上側から見て示す斜視図である。
【図２】同照明器具において下側から見て示す斜視図である。
【図３】同光源部の一部を示す斜視図である。
【図４】同光源部を示す断面図である。
【図５】同照明器具を示す側面図である。
【図６】同照明器具を示す側断面図である。
【図７】同作用を説明するために模式的に示すｘｙ色度図である。
【図８】本発明の第２の実施形態に係る照明器具を示す側断面図である。
【図９】照明器具の設置状態の例を示す説明図である。
【発明を実施するための形態】
【００２０】
以下、本発明の第１の実施形態に係る照明器具について図１乃至図７を参照して説明する。なお、各図において、同一又は相当部分には、同一符号を付し、重複した説明は省略する。
【００２１】
図１及び図２に示すように、照明器具１は前述の図９において説明したブラケットであり、壁面に設置されて主として壁面の上方を照らし、間接照明によって照明効果を得るものである。
照明器具１は、ケース本体２と、このケース本体２内に収容された光源部３と、この光源部３と対向する反射面４を有する反射体５とを備えている。
【００２２】
ケース本体２は、冷間圧延鋼板で形成されており、略横長の直方体形状をなしている。上面側には、横長の長方形状の主照射開口部２１が形成されており、下面側には、副照射開口２２が形成されている。また、主照射開口部２１に対応するケース本体２内の両側にはソケットを有するソケット台７が設けられている。なお、上面側には、主照射開口部２１を覆う透光性を有する乳白色のアクリル材料で形成されたカバー部材９が取付けられるようになっている。
【００２３】
図３及び図４に示すように、光源部３は、ＬＥＤを光源とし、既存の直管形蛍光ランプと同様な寸法及び外形を有している。具体的には、４０Ｗの直管形蛍光ランプと同様な寸法及び外形を有している。そして、この光源部３は、後述するように反射体５の反射面４に対して移動できるようになっている（図５及び図６参照）。
【００２４】
光源部３は、細長円筒状をなし、両端には口金３１が設けられていて、口金３１の部分には、前記ソケット台７のソケットに接続される端子ピン３２が突出して取付けられている。そして、光源部３は、その外郭が断面半円筒状の上下のカバー部材３３、３４によって形成されている。
【００２５】
下側のカバー部材の内側には、半円筒状の放熱部材３５が配設されている。放熱部材３５は、アルミニウム等の金属製であり、半円筒状の開口部側には、複数個のＬＥＤ８が実装された長尺の長方形状の基板３６の裏面が密着するように載置され取付けられている。
【００２６】
基板３６は、絶縁材であるガラスエポキシ樹脂の平板からなり、表面側には銅箔で形成された配線パターンが施されている。また、適宜レジスト層が施されるようになっている。なお、基板３６には、アルミニウム等の熱伝導性が良好で放熱性に優れたべース板の一面に絶縁層が積層された金属製のべース基板を適用することができる。
【００２７】
ＬＥＤ８は、本実施形態では、表面実装型のＬＥＤパッケージを用いており、概略的にはセラミックスで形成された本体に配設されたＬＥＤチップと、このＬＥＤチップを封止するエポキシ系樹脂やシリコーン樹脂等のモールド用の透光性樹脂とから構成されている。
【００２８】
ＬＥＤチップは、青色光を発光する青色のＬＥＤチップである。透光性樹脂には、蛍光体が混入されており、白色光を出射できるようにするために、青色の光とは補色の関係にある黄色系の光を放射する黄色蛍光体が使用されている。
【００２９】
なお、ＬＥＤは、ＬＥＤチップを直接基板３６に実装するようにしてもよく、また、砲弾型のＬＥＤを実装するようにしてもよく、実装方式や形式は、格別限定されるものではない。ここで、ＬＥＤ８は、基板３６の長手方向に沿って直線状に複数個実装されている。
【００３０】
さらに、基板３６の背面側、すなわち、放熱部材３５の半円筒状の内側には、点灯回路３７が設けられている。点灯回路３７は、ＬＥＤ８を点灯制御するものであり、回路基板には、コンデンサやスイッチング素子としてのトランジスタ等の部品が実装されている。また、この点灯回路３７からは、図示しないリード線が導出されており、ＬＥＤ８が実装された基板３６や口金３１の端子ピン３２と電気的に接続されている。なお、この点灯回路３７は、照明器具１のケース本体２内に設けるようにしてもよい。
【００３１】
上側のカバー部材３３は、透光性を有する材料で形成されており、半円筒状の開口部が下側のカバー部材３４の開口部に取付けられて、ＬＥＤ８が実装された基板３６の表面側を覆うようになっている。
【００３２】
図１、図５及び図６に示すように、反射体５は、細長の長方形状であり、ケース本体２における光源部３と対向する内側壁に、長手方向に沿って設けられている。反射体５は、合成樹脂製であり、反射面４を形成する表面には、有彩色である赤色系の樹脂製のテープが接着されている。したがって、光源部３に対向して長手方向に赤色系の反射面４が配設されていることとなる。
【００３３】
なお、反射面４の形成は、反射体５の表面に有彩色の塗装を施したり、また、素材としての反射体５を有彩色のものを用いたりしてもよい。さらに、反射面４の色は、赤色系に限らず、例えば、黄色系等にしてもよい。
【００３４】
図５及び図６を参照して光源部３の移動機構について説明する。ケース本体２の両側に設けられたソケット台７は、ケース本体２の底壁に取付けられたレール部材７１に横方向にスライド可能（図６、矢印で示す）に摩擦係合して嵌合している。また、ソケット台７の背面側には、操作摘み７２が設けられている。一方、図５に示すように、ケース本体２の側壁には、操作摘み７２がスライド操作可能なように横方向にスライド孔７３が形成されている。したがって、光源部３をソケットに装着した状態で操作摘み７２をスライド操作することにより、光源部３を反射面４に対して移動し、所定の位置に配置することができる。
【００３５】
なお、ソケット台７をレール部材７１に対し、スライドして移動するに際し、スナップアクションによって、複数の所定の位置に停止し、配置できるように構成してもよい。
【００３６】
次に、本実施形態の作用を主として図５乃至図７を参照して説明する。前述したように、ＬＥＤは、その光色にばらつきが生じ、特に、同一照明空間内に同種の照明器具が複数台設置された場合、光色の違いが目立つという不具合が発生する。例えば、図７に示すｘｙ色度図において、四角形の範囲Ｓの色度値を目標に照明器具を設計したとしても、ａ点〜ｆ点に示すように各照明器具の色度値にばらつきが生じ、つまり、光色の違いが視覚的に分かるレベルでばらつきが生じてしまうという現象が発生する。
したがって、この問題を解消するため、目標範囲Ｓの領域から外れたｃ点〜ｆ点の照明器具の色度値を目標範囲Ｓに入るように補正する必要がある。
そこで、この補正を光源部３を動かし、反射面５との相対的距離を調整して変更することによって行うものである。
【００３７】
図５及び図６において、操作摘み７２をスライド操作し、光源部３を移動操作して、反射面５との距離を調整する。つまり、光源部３から放射される光は、主として主照射開口部２１からカバー部材９を透過して外部へ照射される上方向きの光である。この光は、光源部４からの白色系の直接光と、反射面４によって反射される赤みを帯びた白色系の反射光となる。これら光が混光された光色の状態で、例えば、壁面に照射される。
【００３８】
したがって、照射光のうちの反射光の割合を変えることにより光色を調整して補正することが可能となる。光源部３を反射面４に近づけることにより、反射光の割合が増加し、光源部３を反射面４から遠ざけることにより、反射光の割合が減少する。
【００３９】
この光源部３と反射面４との距離を調整することにより、光色の微妙な補正が可能となり、例えば、前記の目標範囲Ｓの領域から外れたｃ点〜ｆ点の照明器具の色度値を目標範囲Ｓに入るように補正することができる。
なお、反射面４は、ケース本体２内に収容され、外観上、見え難くなっているので赤色系の色を帯びていても違和感を与えることはない。
さらに、以上のような光色の補正は、同一照明空間内に同種の照明器具が複数台設置された場合のみならず、必要に応じ適用できるものである。
【００４０】
以上のように本実施形態によれば、ＬＥＤ８を光源とする光源部３から放射される光の光色を補正して、光色のばらつきを低減できる照明器具１を提供することができる。
【００４１】
次に、本発明の第２の実施形態に係る照明器具について図８を参照して説明する。なお、第１の実施形態と同一又は相当部分には、同一符号を付し、重複した説明は省略する。
【００４２】
本実施形態は、光源部３に対し、角度を変更するように反射面４を操作して調整するものである。反射体５は、一端側（上側）がケース本体２に軸支され回動可能となっている。また、所定の角度で停止できる機構を備えている。
したがって、反射体５（反射面４）を回動操作して、光源部３との角度を調整でき、これによって、反射光の割合を調整して光色の補正が可能となる。
以上のように本実施形態によれば、第１の実施形態と同様な効果を奏することができる。
【００４３】
なお、本発明は、上記各実施形態の構成に限定されることなく、発明の要旨を逸脱しない範囲で種々の変形が可能である。光源部と反射面との相対的距離又は相対的角度の変更は、光源部及び反射面のいずれを操作して変更してもよく、また、双方を操作して変更できるようにしてもよい。例えば、光源部を回動して反射面に対する照射角度を変更するようにしてもよい。要は、反射光の割合を調整して光色を補正できる構成であればよい。さらに、光源部に電力を供給してＬＥＤを点灯制御する点灯回路は、照明器具のケース本体内に収容されるようにしてもよい。
【００４４】
本発明の照明器具は、上記実施形態で説明したブラケットに適用するのが好適であるが、これに限定されることなく、屋内又は屋外で使用されるＬＥＤを光源とする各種照明器具に適用することができる。さらに、配光の向きも格別限定されるものではない。
【符号の説明】
【００４５】
１・・・照明器具（ブラケット）、２・・・ケース本体、３・・・光源部、
４・・・反射面、５・・・反射体、８・・・ＬＥＤ
【図１】
2011171257.tif 000003
【図２】
2011171257.tif 000004
【図３】
2011171257.tif 000005
【図４】
2011171257.tif 000006
【図５】
2011171257.tif 000007
【図６】
2011171257.tif 000008
【図７】
2011171257.tif 000009
【図８】
2011171257.tif 000010
【図９】
2011171257.tif 000011